【手続補正書】
【提出日】平成18年10月24日(2006.10.24)
【手続補正１】
【補正対象書類名】特許請求の範囲
【補正対象項目名】全文
【補正方法】変更
【補正の内容】
【特許請求の範囲】
【請求項１】
光源部からの光束を対物レンズにより記録媒体上に集光させ、該記録媒体からの戻り光束を光学系により光検出器上に導き、該光検出器上に導かれた光束から前記記録媒体のトラックに対するトラッキングエラー信号を生成し、該トラッキングエラー信号に基づき前記記録媒体上のトラックにトラッキングし、前記光検出器上に導かれた光束から前記記録媒体と前記対物レンズとの相対チルトを検出しチルト検出信号を生成し、該チルト検出信号に基づき前記記録媒体と前記対物レンズとの相対チルトを補正する光情報記録再生方法において、
前記対物レンズにより集光された光束のフォーカスサーボをかけるステップと、
前記トラッキングエラー信号或いは前記光検出器の和信号のレベルが予め定められた閾値に達するまで前記記録媒体と前記対物レンズとの相対チルトを粗補正するステップと、
該粗補正後に、トラッキングサーボをかけた状態で、前記チルト検出信号を検出し、該チルト検出信号に基づき前記記録媒体と前記対物レンズとの相対チルトを微補正するステップとを有することを特徴とする光情報記録再生方法。
【手続補正２】
【補正対象書類名】明細書
【補正対象項目名】０００８
【補正方法】変更
【補正の内容】
【０００８】
そこで、光ピックアップ１２に別個に搭載されたチルトセンサ１８の代わりに、光ディスクからの反射光束から、直接ディスクチルト量を正確に測定する方法が提案されている(例えば、特許文献１参照。)。その一例を、図９に示す。図９は、チルト検知手段とチルト補正手段の一例を説明する図であり、光ディスクからの反射光束を受光するセンサ１７の拡大図とチルト検出信号の生成方法を示したものである。センサ１７は、１７ａから１７ｆの６分割センサで構成され、図面の左右方向が光ディスクの半径方向に相当する。センサ上の光スポットには、光ディスクのトラッキング案内溝からの回折パターン２０が重畳されていて、図９は光ディスク上の光スポットが案内溝の中心に位置する場合を示している。トラッキングには、プッシュプル方式が用いられていて、各々のセンサ出力が各々の増幅器（図示しない）を経たあとに、左右の分割センサ出力和の差からトラッキングエラー信号２６が生成される。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】変更
【補正の内容】
【００２１】
本発明の光情報記録再生方法は、
光源部からの光束を対物レンズにより記録媒体上に集光させ、記録媒体からの戻り光束を光学系により光検出器上に導き、光検出器上に導かれた光束から記録媒体のトラックに対するトラッキングエラー信号を生成し、トラッキングエラー信号に基づき記録媒体上のトラックにトラッキングし、光検出器上に導かれた光束から記録媒体と対物レンズとの相対チルトを検出しチルト検出信号を生成し、チルト検出信号に基づき記録媒体と対物レンズとの相対チルトを補正する光情報記録再生方法において、対物レンズにより集光された光束のフォーカスサーボをかけるステップと、トラッキングエラー信号或いは光検出器の和信号のレベルが予め定められた閾値に達するまで記録媒体と対物レンズとの相対チルトを粗補正するステップと、粗補正後に、トラッキングサーボをかけた状態で、チルト検出信号を検出し、チルト検出信号に基づき記録媒体と対物レンズとの相対チルトを微補正するステップとを有する。
【手続補正７】
【補正対象書類名】明細書
【補正対象項目名】００２８
【補正方法】変更
【補正の内容】
【００２８】
本発明の第１の実施形態は、トラッキングエラー信号２６を使用する。図１は、本発明の第１の実施形態による相対チルト補正方法を説明するためのフローチャートである。図２は、図１で示されたチルト粗補正に関する詳細を説明するためのフローチャートである。また、図３は測定されるトラッキングエラー信号波形を示す図である。
【手続補正８】
【補正対象書類名】明細書
【補正対象項目名】００３０
【補正方法】変更
【補正の内容】
【００３０】
以下、図１から図３を用いて本発明の第１の実施形態による記録媒体と対物レンズの相対チルト補正方法を説明する。
（１）まず、フォーカスサーボの引き込みを行う（Ｓ１）。
（２）次に、フォーカスサーボをかけた状態で、センサ（光検出器）１７上に導かれた光束から、トラッキングエラー信号２６を生成し、トラッキングエラー信号振幅が測定される（Ｓ２）。トラッキングエラー信号２６は、記録媒体上に設けられたトラッキング用の案内溝を光スポットが横断する際に生ずる回折パターン２０を、６分割センサ（６分割光検出器）（１７ａ〜１７ｆ）に導き、図９を用いて説明した手順で生成される。トラッキングエラー信号波形１を図３に示す。２は基準電圧である。トラッキングエラー信号波形１の一定時間内における変動の最大値３および最小値４を測定し、その差からトラッキングエラー信号振幅を求めることができる。好ましくは、トラッキングエラー信号２６は、光検出器１７上に導かれた光束の和信号（１７ａ+１７ｂ＋１７ｃ＋１７ｄ＋１７ｅ＋１７ｆ）を用いて規格化されていると記録媒体の反射率によらないトラッキングエラー信号振幅を得ることができる。
（３）トラッキングエラー信号振幅が規定値（閾値）以上になるまで、チルト粗補正（図１内の点線部で囲んだ部分であり、詳細な説明は図２を参照しながら後述する。）を行う（Ｓ３、Ｓ４）。
（４）必要に応じて、トラッキングサーボのゲイン調整を行う（Ｓ５）。
（５）トラッキング引き込みを行う（Ｓ６）。
（６）トラッキングサーボをかけた状態で、図９を用いて説明した手順で生成されるチルト検出信号２４を用いて、チルトの微補正を行う（Ｓ７）。チルト微補正は、チルトアクチュエータ１４を用いて、チルト検出信号２４が０となるように、対物レンズ１３を傾ける。液晶チルト補正素子１９を用いる場合は、チルト検出信号２４が０となるように、光学的位相差を液晶セルに発生させる。
【手続補正９】
【補正対象書類名】明細書
【補正対象項目名】００３７
【補正方法】変更
【補正の内容】
【００３７】
本発明の第２の実施の形態は、センサ（光検出器）１７上に導かれた光束の和信号を使用する。図４は、本発明の第２の実施形態による相対チルト補正方法を説明するためのフローチャートである。図５は、図４で示されたチルト粗補正に関する詳細を説明するためのフローチャートである。また、図６は測定される和信号波形を示す図である。
【手続補正１０】
【補正対象書類名】明細書
【補正対象項目名】００３９
【補正方法】変更
【補正の内容】
【００３９】
以下、図４から図６を用いて本発明の第２の実施形態による記録媒体と対物レンズの相対チルト補正方法を説明する。
（１）フォーカスサーボの引き込みを行う（Ｓ１１）。
（２）次に、フォーカスサーボをかけた状態で、光検出器１７上に導かれた光束から、和信号を生成し、信号振幅が測定される（Ｓ１２）。和信号は、記録媒体上に設けられたトラッキング用の案内溝を光スポットが横断する際に生ずる回折パターン２０を、６分割センサ（６分割光検出器）（１７ａ〜１７ｆ）に導いて生成される。
【手続補正１１】
【補正対象書類名】明細書
【補正対象項目名】００４８
【補正方法】変更
【補正の内容】
【００４８】
１    トラッキングエラー信号波形
２    基準電圧
３    トラッキングエラー信号最大値
４    トラッキングエラー信号最小値
５    和信号
６    和信号最大値
７    和信号最小値
１１    光ディスク（記録媒体）
１２    光ピックアップ
１３    対物レンズ
１４    チルトアクチュエータ
１４‘    アクチュエータ
１５    跳ね上げミラー
１６    センサレンズ
１７    センサ（光検出器）
１７ａ、１７ｂ、１７ｃ、１７ｄ、１７ｅ、１７ｆ    分割センサ（分割光検出器）
１８    チルトセンサ
１８ａ    発光素子
１８ｂ    多分割受光素子
１９    液晶チルト補正素子
２０    回折パターン
２１、２２、２３、２５    差動増幅器
２４    チルト検出信号
２６    トラッキングエラー信号
【手続補正１２】
【補正対象書類名】図面
【補正対象項目名】図９
【補正方法】変更
【補正の内容】
【図９】
2005166195.tif 000001